【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
流体試料内の生物学的実体を分離するための方法であって；
前記流体試料を第１のマイクロ流体装置に通過させ、前記第１のマイクロ流体装置に取り付けられる音響源により生成される１個以上の圧力節点によって前記生物学的実体を第１のサブセットと第２のサブセットとに前記生物学的実体のサイズに基づいて分離し、それにより前記生物学的実体の前記第１のサブセットを含む第１の試料を生成させ；
磁石を含む磁気分離装置に前記第１の試料を通過させ、磁気標識を有する生物学的実体を前記磁石によって前記第１の試料から分離し、それによって第２の試料を生成させる、
段階を含み、
前記第１のマイクロ流体装置から前記磁気分離装置へと、前記第１のマイクロ流体装置の流量を前記磁気分離装置の流量から分離するために配置されたフローコネクターに前記第１の試料を通過させる、方法。
【請求項２】
前記生物学的実体の前記第１のサブセットが前記生物学的実体の前記第２のサブセットよりもサイズが大きい、請求項１に記載の方法。
【請求項３】
前記生物学的実体の前記第１のサブセットが前記生物学的実体の前記第２のサブセットよりもサイズが小さい、請求項１に記載の方法。
【請求項４】
前記第１のマイクロ流体装置に取り付けられる圧電変換器によって前記圧力節点が生成される、先行する何れかの請求項に記載の方法。
【請求項５】
前記第１のマイクロ流体装置が、試料投入ポート、試料排出ポートおよび前記試料投入ポートと前記試料排出ポートとの間を接続する流体チャネルを有するマイクロ流体チップであり；前記流体試料を前記試料投入ポートから前記試料排出ポートへと前記流体チャネルに通過させ、
前記磁気分離装置が試料投入端および試料排出端を有する磁気分離チャネルを含み；前記第１の試料が、前記試料投入に入り、前記試料排出端から出て、
前記マイクロ流体チップ、前記フローコネクターおよび前記磁気分離チャネルが、閉鎖型の流体ラインを形成する、先行する何れかの請求項に記載の方法。
【請求項６】
前記流体チャネルの前記試料排出ポートが前記フローコネクターの投入ポートに接続し、前記磁気分離チャネルの前記試料投入端が前記フローコネクターの排出ポートに接続し；第１の試料が、第１の流量で前記フローコネクターの前記投入ポートから出て、第２の流量で前記排出ポートを通過する、請求項５に記載の方法。
【請求項７】
流体試料内の生物学的実体を分離するための方法であって；
磁石を含む磁気分離装置に前記流体試料を通過させ、磁気標識を有する生物学的実体が、前記流体試料から前記磁石によって分離され、それによって第１の試料を生成させ；
マイクロ流体装置に前記第１の試料を通過させ、第１のサブセットおよび第２のサブセットに前記第１の試料内の前記生物学的実体を前記生物学的実体のサイズに基づいて分離し、それによって、前記生物学的実体の前記第１のサブセットを含む第２の試料を生成させる、
段階を含み、
前記磁気分離装置から前記マイクロ流体装置へと、前記マイクロ流体装置の流量を前記磁気分離装置の流量から分離するために配置されたフローコネクターに前記第１の試料を通過させる、方法。
【請求項８】
前記第１の試料が磁気標識を有する生物学的実体を含む、請求項７に記載の方法。
【請求項９】
前記第１の試料が磁気標識がない生物学的実体を含む、請求項７に記載の方法。
【請求項１０】
前記磁気分離装置が、２個以上の軟磁性磁極を含み、前記軟磁性磁極のそれぞれが基部および先端を有し、前記先端が、前記軟磁性磁極のそれぞれに対して前記基部よりも小さい、請求項１および７に記載の方法。
【請求項１１】
前記軟磁性磁極の１個の前記基部が第１の磁気源と接触し、残存する軟磁性磁極のそれぞれの前記基部が第２の磁気源と接触し、前記第１および第２の磁気源が反対の磁極性を有する、請求項１０に記載の装置。
【請求項１２】
前記第２の試料を第２のマイクロ流体装置に通過させ、前記第２の試料内の生物学的実体を第３のサブセットおよび第４のサブセットに前記生物学的実体のサイズに基づいて分離し、それによって前記生物学的実体の前記第３のサブセットを含む第３の試料を生成させる、請求項１に記載の方法。
【請求項１３】
緩衝液を前記流体試料と同時に前記第１のマイクロ流体装置に通過させ、前記緩衝液および前記流体試料が前記第１のマイクロ流体装置の異なる入口を通じて前記第１のマイクロ流体装置内の流体チャネルに入り、前記第１のマイクロ流体装置に存在する場合、前記緩衝液が、前記流体試料からの大型生物学的実体を含有するように機能する、請求項１に記載の方法。
【請求項１４】
緩衝液を前記第２の試料と同時に前記第２のマイクロ流体装置に通過させ、前記緩衝液および前記第２の試料が前記第２のマイクロ流体装置の異なる入口を通じて前記第２のマイクロ流体装置内の流体チャネルに入り、前記第２のマイクロ流体装置に存在する場合、前記緩衝液が、前記第２の試料からの大型生物学的実体を含有するように機能する、請求項１２に記載の方法。
【請求項１５】
生物学的実体を分離するための装置であって、
下端および先細状の先端部を有する軟磁性の中心の磁極と；
前記軟磁性の中心の磁極の反対側に配置され、第１および第２の下端をそれぞれ有し、前記軟磁性の中心の磁極に向かって曲げられて、前記先細状の先端部の上方に位置する第１および第２の上端をそれぞれ有する、第１および２の軟磁性の側方の磁極と；
前記軟磁性の中心の磁極および前記第１および第２の軟磁性の側方の磁極において磁束を発生させるための手段と；
分離のための前記生物学的実体を含有する試料流を流すために構成され、前記先細状の先端部と前記第１および第２の上端との間に形成されるギャップに配置される導管と、
を含み、
前記磁束が、前記軟磁性の中心の磁極の前記下端から前記先細状の先端部に集中させられ、前記第１および第２の上端の間で分割される、装置。
【請求項１６】
前記磁束が、前記軟磁性の中心の磁極と前記第１の軟磁性の側方の磁極との間に第１の磁束閉じ込めを形成し、前記軟磁性の中心の磁極と前記第２の軟磁性の側方の磁極との間に第２の磁束閉じ込めを形成する、請求項１５に記載の装置。
【請求項１７】
前記磁束を発生させるための手段が、前記第１の軟磁性の側方の磁極と前記軟磁性の中心の磁極との間に配置される第１の永久磁石および、前記第２の軟磁性の側方の磁極と前記軟磁性の中心の磁極との間に配置される第２の永久磁石を含み、前記第１および第２の永久磁石が反対の磁化方向を有する、請求項１５に記載の装置。
【請求項１８】
前記磁束を発生させるための手段が、軟磁性のシールドおよび、前記軟磁性のシールドと前記軟磁性の中心の磁極の前記下端との間に配置される永久磁石を含み、前記第１および第２の下端が前記軟磁性のシールドの上方に配置される、請求項１５に記載の装置。
【請求項１９】
前記磁束を発生させるための手段が、前記第１の下端の下に配置される第１の永久磁石、前記第２の下端の下に配置される第２の永久磁石、および前記軟磁性の中心の磁極の前記下端の下に配置される第３の永久磁石を含み、前記第３の永久磁石の磁化方向が、前記第１および第２の永久磁石の磁化方向と反対である、請求項１５に記載の装置。
【請求項２０】
前記導管が可撓性チューブを含む、請求項１５に記載の装置。
【手続補正２】
【補正対象書類名】明細書
【補正対象項目名】００２０
【補正方法】変更
【補正の内容】
【００２０】
本発明はさらに、症状が出る前の早期腫瘍検出の方法、および腫瘍検出の過程中にＭＡＧおよびＵＦＬを使用する方法を記載する。
本発明によって開示されるような、方法、構成要素および装置は、細胞、細菌および分子を含む生物学的実体を、ヒト血液、ヒト身体組織、ヒトの骨、ヒト体液、ヒト毛髪、他のヒト関連の生体試料ならびに制限なく動物および植物試料などから分離するために利用され得る。
第１の本発明は、流体試料内の生物学的実体を分離するための方法であって；
前記流体試料を第１のマイクロ流体装置に通過させ、前記第１のマイクロ流体装置に取り付けられる音響源により生成される１個以上の圧力節点によって前記生物学的実体を第１のサブセットと第２のサブセットとに前記生物学的実体のサイズに基づいて分離し、それにより前記生物学的実体の前記第１のサブセットを含む第１の試料を生成させ；
磁石を含む磁気分離装置に前記第１の試料を通過させ、磁気標識を有する生物学的実体を前記磁石によって前記第１の試料から分離し、それによって第２の試料を生成させる、
段階を含み、
前記第１のマイクロ流体装置から前記磁気分離装置へと、前記第１のマイクロ流体装置の流量を前記磁気分離装置の流量から分離するために配置されたフローコネクターに前記第１の試料を通過させる、方法である。
第２の本発明は、前記生物学的実体の前記第１のサブセットが前記生物学的実体の前記第２のサブセットよりもサイズが大きい、第１の本発明の方法である。
第３の本発明は、前記生物学的実体の前記第１のサブセットが前記生物学的実体の前記第２のサブセットよりもサイズが小さい、第１の本発明の方法である。
第４の本発明は、前記第１のマイクロ流体装置に取り付けられる圧電変換器によって前記圧力節点が生成される、先行する何れかの本発明の方法である。
第５の本発明は、前記第１のマイクロ流体装置が、試料投入ポート、試料排出ポートおよび前記試料投入ポートと前記試料排出ポートとの間を接続する流体チャネルを有するマイクロ流体チップであり；前記流体試料を前記試料投入ポートから前記試料排出ポートへと前記流体チャネルに通過させ、
前記磁気分離装置が試料投入端および試料排出端を有する磁気分離チャネルを含み；前記第１の試料が、前記試料投入に入り、前記試料排出端から出て、
前記マイクロ流体チップ、前記フローコネクターおよび前記磁気分離チャネルが、閉鎖型の流体ラインを形成する、先行する何れかの本発明の方法である。
第６の本発明は、前記流体チャネルの前記試料排出ポートが前記フローコネクターの投入ポートに接続し、前記磁気分離チャネルの前記試料投入端が前記フローコネクターの排出ポートに接続し；第１の試料が、第１の流量で前記フローコネクターの前記投入ポートから出て、第２の流量で前記排出ポートを通過する、第５の本発明の方法である。
第７の本発明は、流体試料内の生物学的実体を分離するための方法であって；
磁石を含む磁気分離装置に前記流体試料を通過させ、磁気標識を有する生物学的実体が、前記流体試料から前記磁石によって分離され、それによって第１の試料を生成させ；
マイクロ流体装置に前記第１の試料を通過させ、第１のサブセットおよび第２のサブセットに前記第１の試料内の前記生物学的実体を前記生物学的実体のサイズに基づいて分離し、それによって、前記生物学的実体の前記第１のサブセットを含む第２の試料を生成させる、
段階を含み、
前記磁気分離装置から前記マイクロ流体装置へと、前記マイクロ流体装置の流量を前記磁気分離装置の流量から分離するために配置されたフローコネクターに前記第１の試料を通過させる、方法である。
第８の本発明は、前記第１の試料が磁気標識を有する生物学的実体を含む、第７の本発明の方法である。
第９の本発明は、前記第１の試料が磁気標識がない生物学的実体を含む、第７の本発明の方法である。
第１０の本発明は、前記磁気分離装置が、２個以上の軟磁性磁極を含み、前記軟磁性磁極のそれぞれが基部および先端を有し、前記先端が、前記軟磁性磁極のそれぞれに対して前記基部よりも小さい、第１および第７の本発明の方法である。
第１１の本発明は、前記軟磁性磁極の１個の前記基部が第１の磁気源と接触し、残存する軟磁性磁極のそれぞれの前記基部が第２の磁気源と接触し、前記第１および第２の磁気源が反対の磁極性を有する、第１０の本発明の装置である。
第１２の本発明は、前記第２の試料を第２のマイクロ流体装置に通過させ、前記第２の試料内の生物学的実体を第３のサブセットおよび第４のサブセットに前記生物学的実体のサイズに基づいて分離し、それによって前記生物学的実体の前記第３のサブセットを含む第３の試料を生成させる、第１の本発明の方法である。
第１３の本発明は、緩衝液を前記流体試料と同時に前記第１のマイクロ流体装置に通過させ、前記緩衝液および前記流体試料が前記第１のマイクロ流体装置の異なる入口を通じて前記第１のマイクロ流体装置内の流体チャネルに入り、前記第１のマイクロ流体装置に存在する場合、前記緩衝液が、前記流体試料からの大型生物学的実体を含有するように機能する、第１の本発明の方法である。
第１４の本発明は、緩衝液を前記第２の試料と同時に前記第２のマイクロ流体装置に通過させ、前記緩衝液および前記第２の試料が前記第２のマイクロ流体装置の異なる入口を通じて前記第２のマイクロ流体装置内の流体チャネルに入り、前記第２のマイクロ流体装置に存在する場合、前記緩衝液が、前記第２の試料からの大型生物学的実体を含有するように機能する、第１２の本発明の方法である。
第１５の本発明は、生物学的実体を分離するための装置であって、
下端および先細状の先端部を有する軟磁性の中心の磁極と；
前記軟磁性の中心の磁極の反対側に配置され、第１および第２の下端をそれぞれ有し、前記軟磁性の中心の磁極に向かって曲げられて、前記先細状の先端部の上方に位置する第１および第２の上端をそれぞれ有する、第１および２の軟磁性の側方の磁極と；
前記軟磁性の中心の磁極および前記第１および第２の軟磁性の側方の磁極において磁束を発生させるための手段と；
分離のための前記生物学的実体を含有する試料流を流すために構成され、前記先細状の先端部と前記第１および第２の上端との間に形成されるギャップに配置される導管と、
を含み、
前記磁束が、前記軟磁性の中心の磁極の前記下端から前記先細状の先端部に集中させられ、前記第１および第２の上端の間で分割される、装置である。
第１６の本発明は、前記磁束が、前記軟磁性の中心の磁極と前記第１の軟磁性の側方の磁極との間に第１の磁束閉じ込めを形成し、前記軟磁性の中心の磁極と前記第２の軟磁性の側方の磁極との間に第２の磁束閉じ込めを形成する、第１５の本発明の装置である。
第１７の本発明は、前記磁束を発生させるための手段が、前記第１の軟磁性の側方の磁極と前記軟磁性の中心の磁極との間に配置される第１の永久磁石および、前記第２の軟磁性の側方の磁極と前記軟磁性の中心の磁極との間に配置される第２の永久磁石を含み、前記第１および第２の永久磁石が反対の磁化方向を有する、第１５の本発明の装置である。
第１８の本発明は、前記磁束を発生させるための手段が、軟磁性のシールドおよび、前記軟磁性のシールドと前記軟磁性の中心の磁極の前記下端との間に配置される永久磁石を含み、前記第１および第２の下端が前記軟磁性のシールドの上方に配置される、第１５の本発明の装置である。
第１９の本発明は、前記磁束を発生させるための手段が、前記第１の下端の下に配置される第１の永久磁石、前記第２の下端の下に配置される第２の永久磁石、および前記軟磁性の中心の磁極の前記下端の下に配置される第３の永久磁石を含み、前記第３の永久磁石の磁化方向が、前記第１および第２の永久磁石の磁化方向と反対である、第１５の本発明の装置である。
第２０の本発明は、前記導管が可撓性チューブを含む、第１５の本発明の装置である。
本発明に関連する第２−１の発明は、流体試料内の生物学的実体を分離するための方法であって；
前記流体試料を第１の流体装置に通過させ、前記生物学的実体のサイズに基づいて、前記生物学的実体を第１のサブセットと第２のサブセットとに分離し、それにより前記生物学的実体の第１のサブセットを含む第１の試料を生成させ；
磁石を含む磁気分離装置に前記第１の試料を通過させ、磁気標識を有する生物学的実体を前記磁石によって前記第１の試料から分離し、それによって第２の試料を生成させ；
前記流体装置から前記磁気分離装置へと、前記第１の流体装置を前記磁気分離装置から流体的に分離するフローコネクターに前記第１の試料を通過させる、段階を含む、方法である。
本発明に関連する第２−２の発明は、前記生物学的実体の前記第１のサブセットが前記生物学的実体の前記第２のサブセットよりもサイズが大きい、本発明に関連する第２−１の発明の方法である。
本発明に関連する第２−３の発明は、前記生物学的実体の前記第１のサブセットが前記生物学的実体の前記第２のサブセットよりもサイズが小さい、本発明に関連する第２−１の発明の方法である。
本発明に関連する第２−４の発明は、前記第１の流体装置内の流体チャネルを通過する前記流体試料中で生成される圧力節点によって前記第２のサブセットから前記第１のサブセットを分離し、前記流体装置に取り付けられる圧電変換器によって前記圧力節点が生成される、本発明に関連する第２−１の発明の方法である。
本発明に関連する第２−５の発明は、前記流体装置が、試料投入ポート、試料排出ポートおよびその間を接続する流体チャネルを有する流体チップであり；前記流体試料を前記投入ポートから前記排出ポートへと前記流体チャネルに通過させ；
前記磁気分離装置が試料投入端および試料排出端を有する磁気分離チャネルを含み；前記第１の試料が、前記試料投入に入り、前記試料排出端から出て；
前記流体チップ、前記フローコネクターおよび前記磁気分離チャネルが、閉鎖型の流体ラインを形成する、本発明に関連する第２−１の本発明の方法である。
本発明に関連する第２−６の発明は、前記流体チャネルの前記試料排出ポートが前記フローコネクターの投入ポートに接続し、前記磁気分離チャネルの前記試料投入端が前記フローコネクターの排出ポートに接続し；第１の試料が、第１の流量で前記フローコネクターの前記投入ポートから出て、第２の流量で前記排出ポートを通過する、本発明に関連する第２−５の発明の方法である。
本発明に関連する第２−７の発明は、流体試料内の生物学的実体を分離するための方法であって；
磁石を含む磁気分離装置に前記流体試料を通過させ、磁気標識を有する生物学的実体が、前記流体試料から前記磁石によって分離され、それによって第１の試料を生成させ；
流体装置に前記第１の試料を通過させ、前記生物学的実体のサイズに基づいて、第１のサブセットおよび第２のサブセットに前記第１の試料内の前記生物学的実体を分離し、それによって、前記生物学的実体の第１のサブセットを含む第２の試料を生成させ；
前記磁気分離装置から前記流体装置へと、前記流体装置を前記磁気分離装置から流体的に分離するフローコネクターに前記第１の試料を通過させる、段階を含む、方法である。
本発明に関連する第２−８の発明は、前記第１の試料が磁気標識を有する生物学的実体を含む、本発明に関連する第２−７の発明の方法である。
本発明に関連する第２−９の発明は、前記第１の試料が磁気標識がない生物学的実体を含む、本発明に関連する第２−７の発明の方法である。
本発明に関連する第２−１０の発明は、生物学的実体を流体試料から分離するための装置であって、
長さ方向に沿って、第１の基部と、前記第１の基部よりも小さい第１の先端とを有する第１の軟磁性磁極と；前記長さ方向に沿って、第２の基部と、前記第２の基部よりも小さい第２の先端とを有する第２の軟磁性磁極と；前記長さ方向に沿って、第３の基部と前記第３の基部よりも小さい第３の先端とを有する第３の軟磁性磁極と、を含み；
前記第１および第３の基部が第１の磁気源と接触し、前記第２の基部が前記第１の磁気源とは反対の磁極性を有する第２の磁気源と接触し；
前記流体試料が、前記長さ方向に沿ってチャネルを通って流れ；
前記第１および第３の先端が互いに向かい合っており、前記第２の先端が、前記第１および第３の先端と一致する平面からずらして置かれ、それによって前記第１の先端と前記第２および第３の先端との間に磁場が形成され；
磁気標識を有する前記生物学的実体が、前記磁場によって前記流体試料から分離される、装置である。
本発明に関連する第２−１１の発明は、前記第１の磁気源が、少なくとも１個の永久磁石の第１の磁極面であり；前記第２の磁気源が、前記少なくとも１個の永久磁石の、前記第１の磁極と反対の第２の磁極面である、本発明に関連する第２−１０の発明の装置である。
本発明に関連する第２−１２の発明は、前記生物学的実体が、細胞、細菌、粒子、ＤＮＡ、ＲＮＡおよび分子の何れかである、本発明に関連する第２−１０の発明の装置である。
本発明に関連する第２−１３の発明は、前記チャネルが前記第１、第２および第３の先端から離され、機械的励起手段と接触して配置され、前記機械的励起手段が前記チャネルに含有される磁気標識を有する生物学的実体の解離を引き起こす、本発明に関連する第２−１０の発明の装置である。
本発明に関連する第２−１４の発明は、前記機械的励起手段が、
振動を発生させるモーター；
超音波振動を発生させる圧電素子；および
前記チャネルの伸張、圧縮またはねじれを生じさせる機械的構造のうち１つを含む、本発明に関連する第２−１３の発明の装置である。
本発明に関連する第２−１５の発明は、前記チャネルが、可撓性材料から作られ、前記チャネルが外力により前記第１、第２および第３の先端に向かって動かされる場合、前記第１、第２および第３の先端と自動的に接触する形状に形成される、本発明に関連する第２−１０の発明の装置である。
本発明に関連する第２−１６の本発明は、前記磁気分離装置が、少なくとも２個の軟磁性磁極を含み、前記軟磁性磁極のそれぞれが基部および先端を有し、前記先端が、前記軟磁性磁極のそれぞれに対して前記基部よりも小さい、本発明に関連する第２−１および第２−７の本発明の方法である。
本発明に関連する第２−１７の発明は、前記軟磁性磁極の１個の前記基部が第１の磁気源と接触し；残存する前記軟磁性磁極のそれぞれの前記基部が第２の磁気源と接触し；前記第１および第２の磁気源が反対の磁極性である、本発明に関連する第２−１６の発明の装置である。
本発明に関連する第２−１８の発明は、前記第２の試料を第２の流体装置に通過させ、前記生物学的実体のサイズに基づいて前記第２の試料内の前記生物学的実体を第３のサブセットおよび第４のサブセットに分離し、それによって前記生物学的実体の第１のサブセットを含む第１の試料を生成させる、本発明に関連する第２−１の発明の方法である。
本発明に関連する第２−１９の発明は、緩衝液を前記流体試料と同時に前記第１の流体装置に通過させ；前記緩衝液および前記流体試料が前記第１の流体装置の異なる入口を通じて前記第１の流体装置内の流体チャネルに入り；前記第１の流体装置に存在する場合、前記緩衝液が、前記流体試料からの大型生物学的実体を含有するように機能する、本発明に関連する第２−１の発明の方法である。
本発明に関連する第２−２０の発明は、緩衝液を前記第２の試料と同時に前記第２の流体装置に通過させ；前記緩衝液および前記第２の試料が前記第１の流体装置の異なる入口を通じて前記第２の流体装置内の流体チャネルに入り；前記第２の流体装置に存在する場合、前記緩衝液が、前記第２の試料からの大型生物学的実体を含有するように機能する、本発明に関連する第２−１８の発明の方法である。。
本発明に関連する第１−１の発明は、流体試料内の生物学的実体を分離するための方法であって、
前記流体試料をマイクロ流体装置に通過させ、前記マイクロ流体装置に取り付けられる音響源により生成される圧力節点によって、前記生物学的実体のサイズに基づいて、前記生物学的実体を第１のサブセットと第２のサブセットとに分離し、それにより前記生物学的実体の第１のサブセットを含む第１の試料を生成させ；
磁石を含む磁気装置に前記第１の試料を通過させ、磁気標識を有する生物学的実体を前記磁石によって前記第１の試料から分離し、それによって第２の試料を生成させる、段階を含み；
前記磁気装置から前記マイクロ流体装置を流体的に分離するフローコネクターを通じて、前記第１の試料を前記マイクロ流体装置から前記磁気装置へと通過させる、方法である。
本発明に関連する第１−２の発明は、前記生物学的実体の前記第１のサブセットが前記生物学的実体の前記第２のサブセットよりもサイズが大きい、本発明に関連する第１−１の発明の方法である。
本発明に関連する第１−３の発明は、前記生物学的実体の前記第１のサブセットが前記生物学的実体の前記第２のサブセットよりもサイズが小さい、本発明に関連する第１−１の発明の方法である。
本発明に関連する第１−４の発明は、前記第２の試料が磁気標識を有する生物学的実体を含む、本発明に関連する第１−１の発明の方法である。
本発明に関連する第１−５の発明は、前記第２の試料が磁気標識がない生物学的実体を含む、本発明に関連する第１−１の発明の方法である。
本発明に関連する第１−６の発明は、前記流体試料を前記マイクロ流体装置に通し、前記第１の試料を前記磁気装置に通すために、流量脈動を減少させるための流量制限器付きの蠕動ポンプが使用される、本発明に関連する第１−１の発明の方法である。
本発明に関連する第１−７の発明は、前記マイクロ流体装置が、試料投入ポート、試料排出ポートおよびその間を接続するマイクロ流体チャネルを有するマイクロ流体チップであり；前記流体試料を前記投入ポートから前記排出ポートへと前記マイクロ流体チャネルを通過させ；
前記磁気装置が試料投入端および試料排出端を有する磁気分離チャネルを含み；前記第１の試料が、前記試料投入端に入り、前記試料排出端から出て；
前記マイクロ流体チップ、前記フローコネクターおよび前記磁気分離チャネルが、閉鎖型の流体ライン中に含まれる、本発明に関連する第１−１の発明の方法である。
本発明に関連する第１−８の発明は、前記音響源が圧電変換器である、本発明に関連する第１−１の発明の方法である。
本発明に関連する第１−９の発明は、前記流体チャネルの前記試料排出ポートが前記フローコネクターの投入ポートに接続し、前記磁気分離チャネルの前記試料投入端が前記フローコネクターの排出ポートに接続し；第１の試料が、重力によって前記フローコネクターの前記投入ポートから前記排出ポートへと通過する、本発明に関連する第１−７の発明の方法である。
本発明に関連する第１−１０の発明は、流体試料内の生物学的実体を分離するための方法であって、
前記流体試料を分割して複数のマクロ流体装置に通過させ、前記マイクロ流体装置のそれぞれに取り付けられる音響源により生成される音圧節点により前記マイクロ流体装置のそれぞれ内で前記生物学的実体のサイズに基づいて前記生物学的実体を第１のサブセットと第２のサブセットとに分離し、それにより、生物学的実体の前記第１のサブセットを含む前記マイクロ流体装置のそれぞれから第１の試料を生成させ；
フローコネクターに前記第１の試料を通し、前記第１の試料が第２の試料に統合し；
第２の試料を分割し、複数の磁気装置に通過させ、磁気標識を有する生物学的実体を、前記磁気装置のそれぞれに含有される磁石によって前記第２の試料から分離し、それによって第３の試料を生成させる、段階を含む、方法である。
本発明に関連する第１−１１の発明は、前記生物学的実体の前記第１のサブセットが前記生物学的実体の前記第２のサブセットよりもサイズが大きい、本発明に関連する第１−１０の発明の方法である。
本発明に関連する第１−１２の発明は、前記生物学的実体の前記第１のサブセットが前記生物学的実体の前記第２のサブセットよりもサイズが小さい、本発明に関連する第１−１０の発明の方法である。
本発明に関連する第１−１３の発明は、前記第３の試料が磁気標識を有する生物学的実体を含む、本発明に関連する第１−１０の発明の方法である。
本発明に関連する第１−１４の発明は、前記第３の試料が磁気標識がない生物学的実体を含む、本発明に関連する第１−１０の発明の方法である。
本発明に関連する第１−１５の発明は、前記フローコネクターが、前記複数のマイクロ流体装置を前記複数の磁気装置から流体的に分離させる、本発明に関連する第１−１０の発明の方法である。
本発明に関連する第１−１６の発明は、流体試料内の生物学的実体を分離するための方法であって、
磁石を含む磁気装置に前記流体試料を通過させ、前記磁石によって前記流体試料から磁気標識を有する生物学的実体を分離し、それによって第１の試料を生成させ；
前記第１の試料をマイクロ流体装置に通過させ、前記マイクロ流体装置に取り付けられる音響源により生成される圧力節点によって前記生物学的実体のサイズに基づいて、前記第１の試料内の前記生物学的実体を第１のサブセットと第２のサブセットとに分離し、それにより前記生物学的実体の第１のサブセットを含む第２の試料を生成させ；
前記マイクロ流体装置を前記磁気装置から流体的に分離するフローコネクターを通って前記第１の試料を前記磁気装置から前記マイクロ流体装置へ通過させる、段階を含む、方法である。
本発明に関連する第１−１７の発明は、前記第１の試料が磁気標識を有する生物学的実体を含む、本発明に関連する第１−１６の発明の方法である。
本発明に関連する第１−１８の発明は、前記第１の試料が磁気標識がない生物学的実体を含む、本発明に関連する第１−１６の発明の方法である。
本発明に関連する第１−１９の発明は、前記生物学的実体の前記第１のサブセットが前記生物学的実体の前記第２のサブセットよりもサイズが大きい、本発明に関連する第１−１６の発明の方法である。
本発明に関連する第１−２０の発明は、前記生物学的実体の前記第１のサブセットが前記生物学的実体の前記第２のサブセットよりもサイズが小さい、本発明に関連する第１−１６の発明の方法である。